(57)【要約】【課題】  長期間に渡って安定的にケーブルの伸びを吸収してキャリアプレートをスムーズに移動させることができ、しかもケーブルの伸取り機構部分における異音の発生もないウィンドウレギュレータを提供すること。【解決手段】  ブッシュ３０の中空部３１に、ケーブルエンド１３をスライド自在にガイドして収容し、かつコイルスプリング４０を位置決めして収容し、そのブッシュ３０をカバープレート２０によってキャリアプレート４に取付ける。【選択図】  図４
2006009475.tif 000002
【特許請求の範囲】
【請求項１】
ウィンドウパネルを支持するキャリアプレートにケーブルのケーブルエンドを連結し、前記ケーブルを介して前記キャリアプレートを移動させるウィンドウレギュレータにおいて、
前記ケーブルエンドを前記ケーブルの軸線方向にスライド自在にガイドして収容する中空部が形成されたブッシュと、
前記ブッシュの中空部内に位置決めされて収容され、前記ケーブルエンドを前記ケーブルに張力を付与する方向に付勢するスプリングと、
前記ブッシュを前記キャリアプレートの定位置に取付けるためのカバープレートと、
を備えることを特徴とするウィンドウレギュレータ。
【請求項２】
前記ケーブルエンドに拡径部を形成し、
前記スプリングは、前記ケーブルエンドの拡径部を前記ケーブルに張力を付与する方向に付勢するコイルスプリングである
ことを特徴とする請求項１に記載のウィンドウレギュレータ。
【請求項３】
前記ケーブルエンドに、前記拡径部よりも前記ケーブル寄りに位置して、前記拡径部よりも小径の柱状部を形成し、
前記コイルスプリングは、前記ケーブルエンドの柱状部の外周にはめ合わされる
ことを特徴とする請求項２に記載のウィンドウレギュレータ。
【請求項４】
前記コイルスプリングの外径部は、前記ブッシュの中空部内に軸線方向にスライド自在にガイドされることを特徴とする請求項２または３に記載のウィンドウレギュレータ。
【請求項５】
前記ブッシュの中空部は、前記スプリングがはまり込む小径部と、前記ケーブルエンドの拡径部を前記ケーブルの軸線方向にスライド自在にガイドする大径部と、を含むことを特徴とする請求項２から４のいずれかに記載のウィンドウレギュレータ。
【請求項６】
前記カバープレートは一側が開口する断面略コ字状とされ、かつ内部に前記ブッシュを収容可能な収容部が形成され、
前記キャリアプレートに、前記カバープレートが取付けられたときに前記開口の少なくとも一部を閉じる取付け面を形成し、
前記ブッシュは、前記カバープレートの収容部の内面または前記キャリアプレートの取付け面の内の少なくとも一方に摺接する
ことを特徴とする請求項１から５のいずれかに記載のウィンドウレギュレータ。
【発明の詳細な説明】
【技術分野】
【０００１】
本発明は、自動車などのウィンドウパネルを移動させるためのウィンドウレギュレータに関し、さらに詳細には、ウィンドウパネルを支持するキャリアプレートを、ケーブルを介して移動させるウィンドウレギュレータに関するものである。  
【背景技術】
【０００２】
一般に、この種のウィンドウレギュレータには、キャリアプレートをスムーズに移動させるために、ケーブルの伸びを吸収する伸取り機構が備えられている。
【０００３】
例えば、特許文献１には、ケーブルのケーブルエンドをキャリアプレート（同文献では「ベース本体」）に連結する部分に伸取り機構が構成されている。すなわち、エンドサポートの内部に、ケーブルエンドに連結されるスライドブッシュと、そのスライドブッシュをケーブルに張力を付与する方向に付勢するコイルスプリングと、を収めて、そのエンドサポートをキャリアプレートに取付ける構成となっている。エンドサポートは、一側が開口する断面略コ字状とされており、キャリアプレートに取付けられたときに、その開口がキャリアプレートの取付け面によって閉じられる。そのため、エンドサポートの内面とキャリアプレートの取付け面とによって囲まれる空間内に、コイルスプリングが位置決めされ、かつスライドブッシュがケーブルの軸線方向にスライド自在にガイドされることになる。
【０００４】
【特許文献１】特許第３３６４３７５号公報
【発明の開示】
【発明が解決しようとする課題】
【０００５】
しかし、コイルスプリングを位置決めし、かつスライドブッシュをスライド自在にガイドするための空間は、エンドサポートがキャリアプレートに取付けられることによって形成されるため、エンドサポートがキャリアプレートに取付けられるまでは、コイルスプリングとスライドブッシュの姿勢は不安定となる。
【０００６】
そのため、エンドサポートをキャリアプレートに取付ける際に、作業者の違いによっては、エンドサポートに収められているコイルスプリングとスライドブッシュの姿勢がずれるといった、取付けのばらつきが発生することがある。例えば、それらがエンドサポートの開口から若干飛び出るように倒れた姿勢、つまり正規な取付け姿勢とは異なる姿勢となることがある。コイルスプリングとスライドブッシュをこのような姿勢としたまま、エンドサポートをキャリアプレートに取付けた場合には、ケーブルの伸取り機構としての機能が充分に発揮できなくなるおそれがある。例えば、コイルスプリングがエンドサポートの開口から若干飛び出るように倒れた姿勢のまま取付けられた場合、そのコイルスプリングは、その長さ方向に真直ぐに撓まなくなり、ケーブルの伸取り量が減少して、キャリアプレートを長期間に渡ってスムーズに移動させることができなくなるおそれがある。しかも、コイルスプリングの付勢力がスライドブッシュのスライド方向とずれた方向に作用するため、スライドブッシュがスライドするとき異音が発生するおそれもある。
【０００７】
本発明の目的は、長期間に渡って安定的にケーブルの伸びを吸収してキャリアプレートをスムーズに移動させることができ、しかもケーブルの伸取り機構部分における異音の発生もないウィンドウレギュレータを提供することにある。
【課題を解決するための手段】
【０００８】
請求項１に記載の本発明のウィンドウレギュレータは、ウィンドウパネルを支持するキャリアプレートにケーブルのケーブルエンドを連結し、前記ケーブルを介して前記キャリアプレートを移動させるウィンドウレギュレータにおいて、前記ケーブルエンドを前記ケーブルの軸線方向にスライド自在にガイドして収容する中空部が形成されたブッシュと、前記ブッシュの中空部内に位置決めされて収容され、前記ケーブルエンドを前記ケーブルに張力を付与する方向に付勢するスプリングと、前記ブッシュを前記キャリアプレートの定位置に取付けるためのカバープレートと、を備えることを特徴とする。
【０００９】
請求項２に記載の本発明のウィンドウレギュレータは、請求項１において、前記ケーブルエンドに拡径部を形成し、前記スプリングは、前記ケーブルエンドの拡径部を前記ケーブルに張力を付与する方向に付勢するコイルスプリングであることを特徴とする。
【００１０】
請求項３に記載の本発明のウィンドウレギュレータは、請求項２において、前記ケーブルエンドに、前記拡径部よりも前記ケーブル寄りに位置して、前記拡径部よりも小径の柱状部を形成し、前記コイルスプリングは、前記ケーブルエンドの柱状部の外周にはめ合わされることを特徴とする。
【００１１】
請求項４に記載の本発明のウィンドウレギュレータは、請求項２または３において、前記コイルスプリングの外径部は、前記ブッシュの中空部内に軸線方向にスライド自在にガイドされることを特徴とする。
【００１２】
請求項５に記載の本発明のウィンドウレギュレータは、請求項２から４のいずれかにおいて、前記ブッシュの中空部は、前記スプリングがはまり込む小径部と、前記ケーブルエンドの拡径部を前記ケーブルの軸線方向にスライド自在にガイドする大径部と、を含むことを特徴とする。
【００１３】
請求項６に記載の本発明のウィンドウレギュレータは、請求項１から５のいずれかにおいて、前記カバープレートは一側が開口する断面略コ字状とされ、かつ内部に前記ブッシュを収容可能な収容部が形成され、前記キャリアプレートに、前記カバープレートが取付けられたときに前記開口の少なくとも一部を閉じる取付け面を形成し、前記ブッシュは、前記カバープレートの収容部の内面または前記キャリアプレートの取付け面の内の少なくとも一方に摺接することを特徴とする。
【発明の効果】
【００１４】
本発明によれば、ケーブルエンドをスライド自在にガイドして収容し、かつスプリングを位置決めして収容し、その座屈が防止されたブッシュをキャリアプレートに取付けるため、作業者の違いによる取付けのばらつきが生じることなく、スプリングやケーブルエンドを正規な姿勢に維持したまま取付けることができ、その結果、長期間に渡って安定的にケーブルの伸びを吸収してキャリアプレートをスムーズに移動させることができ、しかもケーブルの伸取り機構部分における異音の発生も防止することができる。
【００１５】
また、スプリングをコイルスプリングとして、そのコイルスプリングによってケーブルエンドの拡径部を付勢することにより、そのコイルスプリングが長期間に渡ってより安定的かつ確実にケーブルの伸びを吸収して、キャリアプレートをよりスムーズに移動させることができる。
【００１６】
また、スプリングをコイルスプリングとして、それをケーブルエンドの柱状部の外周にはめ合わせることにより、ブッシュへのコイルスプリングの組付け性が向上し、その結果、そのコイルスプリングの姿勢をより確実に正規な姿勢に維持して、ケーブルの伸取り機能をより確実に発揮することができる。
【００１７】
また、スプリングをコイルスプリングとして、その外径部をブッシュの中空部内に軸線方向にスライド自在にガイドすることにより、そのコイルスプリングをガタ付きなく取付けることができ、しかも、そのコイルスプリングを安定した姿勢のまま変形させてケーブルの伸取り機能をより確実に発揮することができる。
【００１８】
また、ブッシュの中空部に、スプリングとケーブルエンドのそれぞれに対応する小径部と大径部を形成することにより、スプリングとケーブルエンドをガタ付きなく位置決めして、より確実にキャリアプレートのスムーズな移動と異音の発生防止を実現することができ、
また、カバープレートの収容部にブッシュを収容してから、そのカバープレートをキャリアプレートに取付け、そしてカバープレートの内面またはキャリアプレートの取付け面の内の少なくとも一方にブッシュを摺接させることにより、カバープレートの取付けの前後において、ブッシュの位置ずれを抑えて正規な姿勢に規制することができる。
【発明を実施するための最良の形態】
【００１９】
以下、本発明の実施形態を図面に基づいて説明する。本実施形態は、ウィンドウガラスを昇降させる自動車用ウィンドウレギュレータとしての適用例である。
【００２０】
図１は、自動車用ウィンドウレギュレータの要部の正面図であり、自動車の前後方向に位置する一対のガイドレール１，２が平行に備えられている。ガイドレール１，２には、不図示のウィンドウガラス（ウィンドウパネル）を支持するキャリアプレート３，４が移動自在にガイドされている。ガイドレール１，２の上端および下端に取り付けられたケーブルガイド５，６，７，８の間には、ガイドレール１，２の間にてクロスするようにケーブル１０が配索されている。本例の場合、ケーブルガイド５，７，８はガイドローラを用いてケーブル１０の配索方向を変更する構成とされ、ケーブルガイド６はガイド面に沿わせるようにしてケーブル１０の配索方向を変更する構成とされている。
【００２１】
ケーブル１０において、ガイドレール１に沿って延在する部分はキャリアプレート３に連結され、同様に、ガイドレール２に沿って延在する部分はキャリアプレート４に連結されている。１１は駆動機構であり、モータ１１Ａによって回転駆動されるドラム１１Ｂを有する。駆動機構１１はガイドレール１，２の間に位置し、ドラム１１Ｂにはケーブル１０の下側部分１０−１と上側部分１０−２が巻回される。ケーブル１０の下側部分（以下、「下側ケーブル」ともいう）１０−１は駆動機構１１からケーブルガイド６に導かれ、一方、ケーブル１０の上側部分（以下、「上側ケーブル」ともいう）１０−２は駆動機構１１からケーブルガイド７に導かれる。上側ケーブル１０−２は、ケーブルガイド７と駆動機構１１との間に掛け渡されるアウターケーシング１０Ａ内に軸線方向移動自在に位置し、同様に、下側ケーブル１０−１は、ケーブルガイド６と駆動機構１１との間に掛け渡されるアウターケーシング１０Ａ内に軸線方向移動自在に位置する。また、ケーブルガイド５，８の間に位置するケーブル１０の部分も同様に、それらのケーブルガイド５，８の間に掛け渡されるアウターケーシング１０Ａ内に軸線方向移動自在に位置する。
【００２２】
図２は、キャリアプレート４の裏面図である。キャリアプレート４の裏面には、ケーブル１０をキャリアプレート４に連結するためのカバープレート２０が取付けられている。本例の場合、このカバープレート２０は、ケーブルガイド７からガイドレール２に沿って下方に延在するケーブル１０の部分（以下、「第１ケーブル」ともいう）１０−３と、ケーブルガイド８からガイドレール２に沿って上方に延在するケーブル１０の部分（以下、「第２ケーブル」ともいう）１０−４と、をキャリアプレート４の裏面に連結する。カバープレート２０は、後述するようにケーブルの伸取り機構を構成する。
【００２３】
カバープレート２０は、図２から図６に示すように、断面略コ字状の箱型の本体２１と、その本体２１から上下方向に延出する取付け片２２，２３とを含み、取付け片２２，２３に形成された取付け孔２２Ａ，２３Ａに通されるボルトまたはリベットなどの取付け具４１によって、キャリアプレート４の裏面の定位置に取付けられる。本体２１の内部には、後述するブッシュ３０を収容可能な収容部２４が形成されており、その収容部２４には、キャリアプレート４の裏面と対向する側に開口部が形成されている。その開口部の少なくとも一部は、カバープレート２０がキャリアプレート４の裏面に取付けられたときに、図４および図６のように、キャリアプレート４の取付け面４Ａによって閉じられる。本体２１の上下の壁部には、第１および第２ケーブル１０−３，１０−４を通すためのスリット２１Ａ，２１Ｂが形成されている。
【００２４】
第１ケーブル１０−３の端部に取付けられるケーブルエンド（以下、「第１ケーブルエンド」ともいう）１３は、基端側に形成された柱状部１３Ａと、先端側に形成された拡径部１３Ｂとを含む。本例の場合、柱状部１３Ａは比較的小径の断面円形とされ、拡径部１３Ｂは比較的大径の断面円形とされている。一方、第２ケーブル１０−４の端部に取付けられるケーブルエンド１４（以下、「第２ケーブルエンド」ともいう）は、比較的小径の円柱形状とされている。
【００２５】
収容部２４に収容されるブッシュ３０は、内部に中空部３１が形成されたブロック形状であり、樹脂材料によって成形されている。このブッシュ３０は、ケーブル１０−３，１０−４の軸線を中心として変位しないように、収容部２４内に配置されている。本例の場合、ブッシュ３０の図６中上下および右の側面３０Ａ，３０Ｂ，３０Ｃは、カバープレート２０の収容部２４の側面およびキャリアプレート４の取付け面４Ａに摺接する平面とされ、ブッシュ３０の図６中左の側面３０Ｄは、カバープレート２０の収容部２４の底面に摺接する曲面とされている。
【００２６】
中空部３１は上側が上壁部３０Ｅによって閉塞され、かつ下側が開放されており、第１ケーブルエンド１３をケーブル１０−３の軸線方向にスライド自在にガイドして収容する。上壁部３０Ｅには、第１ケーブル１０−３をガイドするためのガイド孔３０Ｆが形成されている。中空部３１の下側の範囲Ｌは第１ケーブルガイド１３のスライド範囲として設定されており、その範囲Ｌは、第１ケーブルエンド１３の拡径部１３Ｂをスライド自在にガイドする大径部３１Ａとなっている。中空部３１の上側には、第１ケーブルエンド１３を下方に付勢するコイルスプリング（スプリング）４０が収容されている。コイルスプリング４０は、その内部に第１ケーブルエンド１３の柱状部１３Ａがはまり込むように内径が設定されており、また中空部３１の上側は、コイルスプリング４０がはまり込んで位置決めされる小径部３１Ｂとなっている。したがって、その小径部３１Ｂは、コイルスプリング４０の外径部を軸線方向にスライド自在にガイドすることになる。ブッシュ３０の側面３０Ｃには、図６および図７のように２つの凹部３０Ｃ−１が形成されている。また、図４および図５のようにブッシュ３０が収容部２４内に収容されたときには、その収容部２４内におけるブッシュ３０の下側に、第２ケーブルエンド１４を収容して連結するための隙間Ｃが形成される。
【００２７】
ブッシュ３０をカバープレート２０の収容部２４内に収容する際には、予め、ブッシュ３０の中空部３１内にスプリング４０と第１ケーブルエンド１３を収容して、第１ケーブル１０−３はガイド孔３０Ｆに通しておく。そして、第１ケーブル１０−３をカバープレート２０のスリット２１Ａ内に差し込みつつ、ブッシュ３０をカバープレート２０の収容部２４内に収容する。その際、スプリング４０と第１ケーブルエンド１３は、ブッシュ３０内にて正規な取付け姿勢に維持されたまま、カバープレート２０の収容部２４内に収容されることになる。またブッシュ３０は、収容部２４内に摺接することにより、正規な姿勢に維持される。その後、第２ケーブル１０−４をカバープレート２０のスリット２１Ｂ内に差し込みつつ、第２ケーブルエンド１４を収容部２４内の隙間Ｃに入れる。それから、カバープレート２０をキャリアプレート４の裏面に取り付ける。このようなカバープレート２０の取付け状態においては、図４および図５中の実線のように、スプリング４０が第１ケーブルエンド１３を下方に付勢して、第１ケーブル１３に緊張力を付与する。
【００２８】
このように構成されたウィンドウレギュレータはドアのインナーパネルなどに取り付けられ、駆動機構１１のドラム１１Ｂの回転方向に応じて、キャリアプレート３，４と共にウィンドウパネルが上下動する。すなわち、ドラム１１Ｂが一方向（図１における時計方向）に回転したときに、上側ケーブル１０−２がドラム１１Ｂに巻き取られ、かつ下側ケーブル１０−１がドラム１１Ｂから繰り出されることにより、キャリアプレート３，４と共にウィンドウパネルが上方に移動する。逆に、ドラム１１Ｂが他方向（図１における反時計方向）に回転したときには、下側ケーブル１０−１がドラム１１Ｂに巻き取られ、かつ上側ケーブル１０−２がドラム１１Ｂから繰り出されることにより、キャリアプレート３，４と共にウィンドウパネルが下方に移動する。
【００２９】
このようなウィンドウレギュレータの動作に伴うケーブル１０の伸びは、図４および図５中の２点鎖線のように、スプリング４０が第１ケーブルエンド１３を下方にスライドさせることによって吸収する。このように、カバープレート２０，ブッシュ３０，およびスプリング４０は、ケーブル１０の伸取り機構として機能する。スプリング４０は、ブッシュ３０によって位置決めされて、正規な姿勢に維持されたまま取付けられているため、その長さ方向に真っ直ぐに撓むことができる。したがって、ケーブルの伸びを充分かつ確実に取って、キャリアプレート３，４をスムーズに移動させることができ、しかも異音を発生することもない。また第１ケーブル１０−３は、カバープレート２０のスリット２１Ａの内壁と接触しないように、ブッシュ２０のガイド孔３０Ｆによってガイドされる。そのため、それらの接触による異音の発生もない。
【００３０】
また、カバープレート２０の収容部２４の内面とキャリアプレート４の取付け面４Ａの少なくとも一方に、ブッシュ３０を摺接させたことにより、カバープレート２０をキャリアプレート４に取付ける前後において、ブッシュ３０を正規な姿勢に規制することができる。さらに、ブッシュ３０の中空部３１に大径部３１Ａと小径部３１Ｂを形成することにより、第１ケーブルエンド１３とスプリング４０のそれぞれを必要最小限のクリアランスをもって収容することができ、それらをガタ付きなくスムーズに作動させることができる。また、ブッシュ３０と第１ケーブルエンド１３およびスプリング４０とのクリアランスにグリス等の潤滑剤を封入することより、それらのクリアランスは必要最小限であることから、封入性が良くて長期間に渡ってより一層スムーズに作動させることができ、異音の発生もより確実に防止することができる。
【００３１】
（他の実施形態）
ガイドレールの形状および配備数は任意であり、本発明は、例えば１本のガイドレールを備えたウィンドウレギュレータにも適用することができる。また、ケーブルエンドを付勢するスプリングの形態はコイルスプリングのみに特定されず任意であり、要は、ブッシュの中空部内に位置決め収容されてケーブルに緊張力を付与することができればよい。
【図面の簡単な説明】
【００３２】
【図１】本発明の一実施形態のウィンドウレギュレータの要部の正面図である。
【図２】図１におけるキャリアプレートの裏面図である。
【図３】図２におけるカバープレートの斜視図である。
【図４】図２のＩＶ−ＩＶ線に沿う断面図である。
【図５】図４のＶ矢視図である。
【図６】図４のＶＩ−ＶＩ線に沿う断面図である。
【図７】図６におけるブッシュのＶＩＩ矢視図である。
【符号の説明】
【００３３】
１，２    ガイドレール
３，４    キャリアプレート
１０    ケーブル
１１    駆動機構
１３    第１ケーブルエンド
１３Ａ    柱状部
１３Ｂ    拡径部
１４    第２ケーブルエンド
２０    カバープレート
２４    収容部
３０    ブッシュ
３１    中空部
３１Ａ    大径部
３１Ｂ    小径部
４０    コイルスプリング（スプリング）
【図１】
2006009475.tif 000003
【図２】
2006009475.tif 000004
【図３】
2006009475.tif 000005
【図４】
2006009475.tif 000006
【図５】
2006009475.tif 000007
【図６】
2006009475.tif 000008
【図７】
2006009475.tif 000009